(57)【要約】      （修正有）【課題】低コストで容易に融雪作業を実施することができる融雪装置を提供する。【解決手段】矩形の平面形をもち、底面にキャスタ１２ｂが取り付けられた本体１２を備え、本体内の上部に、矩形の平面形をもつ複数基のシャワーヘッド１４が互いに等距離間隔隔てて配置されており、シャワーヘッドの周辺部が、外方に傾斜するように形作られており、本体の背部に、シャワーヘッドに温水を供給するための温水供給管１８が配置されており、屋内の給湯ボイラの給湯管に接続された温水供給管を介して供給された温水をシャワーヘッドから本体内に噴出させることにより本体内に投入された雪を融かし、これによって生じた水を、予め雨水枡に取り付けられた接続用アダプタに接続されたホースを介して排水するように構成されている。【選択図】図１
0003111443.tif 000002
【実用新案登録請求の範囲】
【請求項１】
融雪装置であって、
矩形の平面形をもち、底面にキャスタが取り付けられた本体を備え、
前記本体内の上部に、矩形の平面形をもつ複数基のシャワーヘッドが互いに等距離間隔隔てて配置されており、前記シャワーヘッドの周辺部が、外方に傾斜するように形作られており、
前記本体の背部に、前記シャワーヘッドに温水を供給するための温水供給管が配置されており、  屋内の給湯ボイラの給湯管に接続された前記温水供給管を介して供給された温水を前記シャワーヘッドから前記本体内に噴出させることにより前記本体内に投入された雪を融かし、これによって生じた水を、予め雨水枡に取り付けられた接続用アダプタに接続されたホースを介して排水するように構成されていることを特徴とする装置。
【請求項２】
融雪装置であって、
矩形の平面形をもち、住宅に部分的に埋め込まれた本体を備え、
前記本体内の上部に、矩形の平面形をもつ複数基のシャワーヘッドが互いに等距離間隔隔てて配置されており、前記シャワーヘッドの周辺部が、外方に傾斜するように形作られており、
前記本体の背部に、前記シャワーヘッドに温水を供給するための温水供給管が配置されており、  屋内の給湯ボイラの給湯管に接続された前記温水供給管を介して供給された温水を前記シャワーヘッドから前記本体内に噴出させることにより前記本体内に投入された雪を融かし、これによって生じた水を排水するように構成されていることを特徴とする装置。
【考案の詳細な説明】
【技術分野】
【０００１】
本考案は一般に、融雪装置に関する。より詳細には、本考案は、低コストで容易に融雪作業を実施することができる融雪装置に関する。
【背景技術】
【０００２】
積雪地においては、降り積もった雪を如何に処理するかが重要な課題となっている。降り積もった雪を処理する融雪装置には、種々の型式のものが開発され市販されているが、高価である、操作が面倒である等の欠点を有しており、手軽に利用することができる融雪装置が見当たらないのが現状である。
【考案の開示】
【考案が解決しようとする課題】
【０００３】
本考案は、このような現状に鑑みて案出されたものであって、低コストで容易に融雪作業を実施することができる融雪装置を提供することを目的としている。
【課題を解決するための手段】
【０００４】
本願請求項１に記載の融雪装置は、矩形の平面形をもち、底面にキャスタが取り付けられた本体を備え、前記本体内の上部に、矩形の平面形をもつ複数基のシャワーヘッドが互いに等距離間隔隔てて配置されており、前記シャワーヘッドの周辺部が、外方に傾斜するように形作られており、前記本体の背部に、前記シャワーヘッドに温水を供給するための温水供給管が配置されており、屋内の給湯ボイラの給湯管に接続された前記温水供給管を介して供給された温水を前記シャワーヘッドから前記本体内に噴出させることにより前記本体内に投入された雪を融かし、これによって生じた水を、予め雨水枡に取り付けられた接続用アダプタに接続されたホースを介して排水するように構成されていることを特徴とするものである。
【０００５】
本願請求項２に記載の融雪装置は、矩形の平面形をもち、住宅に部分的に埋め込まれた本体を備え、前記本体内の上部に、矩形の平面形をもつ複数基のシャワーヘッドが互いに等距離間隔隔てて配置されており、前記シャワーヘッドの周辺部が、外方に傾斜するように形作られており、前記本体の背部に、前記シャワーヘッドに温水を供給するための温水供給管が配置されており、屋内の給湯ボイラの給湯管に接続された前記温水供給管を介して供給された温水を前記シャワーヘッドから前記本体内に噴出させることにより前記本体内に投入された雪を融かし、これによって生じた水を排水するように構成されていることを特徴とするものである。
【考案の効果】
【０００６】
本考案によれば、装置自体に熱源を備える必要はなく、既存の給湯ボイラを利用すればよいので、極めて低コストで容易に融雪作業を実施することが可能になる。
【考案を実施するための最良の形態】
【０００７】
次に、図面を参照して、本考案の好ましい実施の形態に係る融雪装置について詳細に説明する。本考案の好ましい実施の形態に係る融雪装置は、移動式と固定式の２つの型式に大別される。まず最初に、移動式の融雪装置について説明する。
【０００８】
図１は、本考案の移動式融雪装置を示した斜視図である。図１において全体として参照符号１０で示される本考案の好ましい実施の形態に係る融雪装置は、矩形の平面形をもつ本体１２を備えている。本体１２の前面には、開閉式の扉１２ａが設けられており、本体１２の底面には、移動用のキャスタ１２ｂが取付けられている。本体１２は好ましくは、塩化ビニル樹脂とステンレス鋼で形成されている。
【０００９】
本体１２内の上部には、複数基（図１及び図２では３基）のシャワーヘッド１４が互いに等距離間隔隔てて配置されている。各シャワーヘッド１４は、本体１２の平面形に合わせて、矩形の平面形を有するように形作られている（図３（ａ）参照）。また、各シャワーヘッド１４の周辺部Ａは、噴出する温水を本体１２内の隅々に行き渡らせることができるように、外方に傾斜するように形作られている（図３（ｂ）参照）。シャワーヘッド１４は、塩化ビニル樹脂やステンレス鋼などの適当な材料で形成されている。
【００１０】
本体１２の背部には、シャワーヘッド１４に温水を供給するための温水供給管１８が配置されており、温水供給管１８が分岐して温水供給枝管２０となり、各シャワーヘッド１４に接続されている。好ましくは、温水供給管１８の端部には、着脱式継手１８ａが取り付けられており、屋内に設置されている給湯ボイラの給湯管と温水供給管１８がホースで接続されている。
【００１１】
図３（ｂ）は、シャワーヘッド１４の取付け部の詳細を示した断面図である。温水供給枝管２０の先端には、拡径部２０ａが設けられており、シャワーヘッド１４の上面に取付けられた受け具１４ａ内に拡径部２０ａが嵌め込まれるようになっている。これにより、シャワーヘッド１４の角度を調節することができる。なお、受け具１４ａ内の拡径部２０ａの下端には、漏水防止用のゴムリング１６が収容されている。
【００１２】
なお、給湯ボイラには、冬期間の凍結を防止するため、自動水抜き弁が配置されている。自動水抜き弁は、通常の型式のものを使用してよい。なお、給湯ボイラ廻りの設備は、新築住宅の場合には、例えば図２に示されるような本考案の融雪装置１０に適合するものを設置すればよいが、既存住宅の場合であっても、本考案の融雪装置１０に適合するように改造することにより、本考案の融雪装置１０を使用することができる。
【００１３】
本体１２の底部に、第１排水口２２ａが設けられており、本体１２の底部付近の側部に第２排水口２２ｂが設けられている。融雪作業に際しては、始めは第１排水口２２ａを閉鎖し、第２排水口２２ｂを開放しておく。すると、融けた水が本体１２の底部に溜まり、第２排水口２２ｂに取り付けられたホース２４を介して排水され、融雪作業が終了すると、第１排水口２２ａを開放して、第１排水口２２ａに取り付けられたホース２４を介して排水されるようになっている。ホース２４は、雨水枡に接続されている。好ましくは、雨水枡に予め、ホース２４のための接続用アダプタ２６を取り付けておき、冬期の融雪作業に際して、接続用アダプタ２６にホース２４を接続するのがよい。
【００１４】
図４（ａ）は、比較的大型の接続用アダプタ２６を示した図であり、図４（ｃ）は、比較的小型の接続用アダプタ２６を示した図である。なお、図４（ｂ）は、図４（ａ）の線４ｂ−４ｂに沿って見た図、図４（ｄ）は、図４（ｃ）の線４ｄ−４ｄに沿って見た図である。図４（ａ）〜図４（ｄ）において、参照符号２６ａ、２６ｂ、２６ｃは、補剛材、ホース２４の取付口、ストッパをそれぞれ示している。接続用アダプタ２６は、塩化ビニル樹脂などの適当な材料で形成されており、雪が降り積もる前に予め雨水枡に取り付けておくのがよい。
【００１５】
以上のように構成された融雪装置１０の使用について説明する。まず使用に際して、給湯ボイラの給湯管に接続したホースを、温水供給管１８の着脱式継手１８ａに接続するとともに、第１及び第２排水口２２ａ、２２ｂに取り付けられたホース２４を、雨水枡の接続用アダプタ２６に取り付ける。次いで、本体１２の扉１２ａを開けて、融雪しようとする雪を本体１２内に投入する。そして、屋内の給湯ボイラから供給された温水をシャワーヘッド１４から本体１２内に噴出させることにより本体１２内に投入された雪を融かす。一方、融雪によって生じた水は、ホース２４を介して雨水枡に排水する。使用後は、温水供給管１８からホースを外すとともに、接続用アダプタ２６に取り付けられたホース２４を取り外す。
【００１６】
次に、固定式の融雪装置について説明する。図５は、本考案の固定式融雪装置を示した斜視図である。図５において全体として参照符号３０で示される本考案の好ましい実施の形態に係る融雪装置は、矩形の平面形をもつ本体３２が、住宅の外壁内に部分的に埋め込まれている点を除いて、融雪装置１０と実質的に同一の構成を有している。
【００１７】
より詳細に説明すると、本体３２の前面には、開閉式の扉３２ａが設けられており、本体３２内の上部には、複数基のシャワーヘッド３４が互いに等距離間隔隔てて配置されている。シャワーヘッド３４は、シャワーヘッド１４と実質的に同一のものである。本体３２の背部には、シャワーヘッド３４に温水を供給するための温水供給管３８が配置されており、温水供給管３８が分岐して温水供給枝管４０となり、各シャワーヘッド３４に接続されている。なお、温水供給管３８には、三方向ボールバルブ３８ａが取り付けられており、融雪作業後に温水供給管３８内の水抜きを行うことができるようになっている。また、本体３２の底部に設けられた第１排水口４２ａ、及び、本体３２の底部付近の側部に設けられた第２排水口４２ｂが、排水管（図示せず）に接続されている。
【００１８】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【図面の簡単な説明】
【００１９】
【図１】本考案の好ましい実施の形態に係る移動式融雪装置の斜視図である。
【図２】図１の融雪装置の使用状態を模式的に示した図である。
【図３】図３（ａ）は、シャワーヘッドの底面図、図３（ｂ）は、シャワーヘッドの取付け部を示した側断面図である。
【図４】接続用アダプタを示した図である。
【図５】本考案の好ましい実施の形態に係る固定式融雪装置の使用状態を模式的に示した図である。
【符号の説明】
【００２０】
１０、３０  融雪装置
１２、３２  本体
１４、３４  シャワーヘッド
１６、３６
１８、３８  温水供給管
２０、４０  温水供給枝管
２２ａ、２２ｂ、４２ａ、４２ｂ  排水口
２４  ホース
２６  接続用アダプタ
【図１】
0003111443.tif 000003
【図２】
0003111443.tif 000004
【図３】
0003111443.tif 000005
【図４】
0003111443.tif 000006
【図５】
0003111443.tif 000007